(57)【要約】【課題】  電子機器に搭載されているデジタルカメラ機能の悪用を防止する。【解決手段】  撮影指示信号に基づいて、被写体像を撮影する撮影手段と、撮影されたデータを記憶する記憶手段と、撮影指示信号を検出時に先頭部分に所定の信号を付加したシャッター音を発生するシャッター音発生手段と、その先頭部分に所定信号が付加されたシャッター音を集音する集音手段と、集音された音の解析を行う音解析手段と、集音されたシャッター音の先頭部分に含まれる所定信号が、予め定められた所定信号と一致するか否かを確認し、前記集音されたシャッター音の先頭部分に含まれる所定信号が、予め定められた所定信号と一致しない場合には撮影手段による撮影を無効化する制御手段とを備えるようにする。【選択図】        図３
2006135906.tif 000002
【特許請求の範囲】
【請求項１】
撮影指示信号に基づいて被写体像を撮影する撮影手段と、
撮影されたデータを記憶する記憶手段と、
撮影指示信号を検出時に先頭部分に所定の信号を付加したシャッター音を発生するシャッター音発生手段と、
前記先頭部分に所定信号が付加されたシャッター音を集音する集音手段と、
集音された音の解析を行う音解析手段と、
前記集音されたシャッター音の先頭部分に含まれる所定信号が、予め定められた所定信号と一致するか否かを確認し、前記集音されたシャッター音の先頭部分に含まれる所定信号が、予め定められた所定信号と一致しない場合には前記撮影手段による撮影を無効化する制御手段と
を備えたことを特徴とする撮影装置。
【請求項２】
前記制御手段は、撮影された被写体像のデータを前記記憶手段に一時保存し、前記集音されたシャッター音の先頭部分に含まれる所定信号が、予め定められた所定信号と一致したことが前記音解析手段により確認されたとき前記被写体像のデータの保存を確定する
ことを特徴とする請求項１記載の撮影装置。
【請求項３】
前記制御手段は、前記集音されたシャッター音の先頭部分に含まれる所定信号が、予め定められた所定信号と一致したことが前記音解析手段により確認されたとき、前記撮影手段による撮影を開始させる
ことを特徴とする請求項１記載の撮影装置。
【請求項４】
前記所定信号は正弦波信号である
ことを特徴とする請求項１〜３のいずれか１項に記載の撮影装置。
【発明の詳細な説明】
【技術分野】
【０００１】
本発明は、例えばデジタルカメラやデジタルカメラ付き電子機器等の撮影装置に関する。
【背景技術】
【０００２】
近年、被写体の映像をＣＣＤ（Charge Coupled Device）等の撮像素子で撮影し、画像をデジタル的に処理するデジタルカメラ（以下、単に「カメラ」ともいう。）が普及している。また、デジタルカメラの機能は携帯電話端末などの種々の電子機器に装備されるようになってきている。デジタルカメラでは従来の銀塩式フィルムを用いるカメラと異なり、機械的なシャッターを用いないためシャッター音がしない。シャッター音は撮影指示に応じて発生する予め用意された電子音であり、代表的には機械的な「カシャッ」という音があるが、その他音声通知など種々のシャッター音が存在する。
【０００３】
現在、カメラ付き携帯電話端末ではカメラの悪用防止を目的として、撮影時にシャッター音を鳴動させることが通信サービス事業者に義務付けられている。
【０００４】
従来のカメラ付き携帯電話端末では、シャッターボタン押下をトリガに、シャッター音鳴動と並行して、被写体の撮像データの取得動作を実行する。この取得動作では、被写体の撮像データを取り込み、この撮像データを内部メモリへ一時保存し、表示画面においてプレビューを行う。そして、これを確認したユーザの指示に応じて、この一時保存中の撮像データを内部メモリに保存確定するか、又は、破棄する。
【０００５】
他に悪用防止を目的とするものとして、撮影を行う際に周囲の人、又は被撮影者に撮影中であることを知らせる手段を持つカメラ付き端末と、撮影中であることを検知して撮影者のカメラ付き端末を制御する手段を持つ端末とから構成される不正撮影防止システムが、特許文献１に記載されている。
【特許文献１】特開２００４−８８２７３号公報
【発明の開示】
【発明が解決しようとする課題】
【０００６】
ところで、上述のような従来の撮影装置では、シャッター音鳴動と被写体データ取り込みがそれぞれ独立して行われるため、例えば、スピーカを取り外してしまったとしても、撮影自体は支障なく行える。あるいは、スピーカを取り外さないまでも、スピーカの放音面を塞いだり、スピーカの信号線を切断したりする等により、消音撮影が行われる可能性もある。そのため、周囲の人にシャッター音が認識されない環境においても撮影が可能であり、この環境を利用したカメラ付き携帯電話端末などによる盗難や電子万引きなどの悪用が問題になっている。
【０００７】
また、特許文献１に記載のものは、撮影者側のカメラ付き端末の撮影動作を、被撮影者側で制御するので、不正に撮影するものではないにもかかわらず撮影が制限されたり、撮影対象者が所有しない第三者の端末により誤って撮影が制限されるなどの問題が残る。また、この不正撮影防止システムに対応した端末を所有していない者は、不正な撮影を防止することができないという問題がある。
【０００８】
本発明は斯かる点に鑑みてなされたものであり、その目的は、デジタルカメラ機能の悪用防止を徹底することができる機能を有する撮影装置を提供することにある。
【課題を解決するための手段】
【０００９】
上記課題を解決して目的を達成するため、本発明は、撮影指示信号に基づいて被写体像を撮影する撮影手段と、撮影されたデータを記憶する記憶手段と、撮影指示信号を検出時に先頭部分に所定の信号を付加したシャッター音を発生するシャッター音発生手段と、その先頭部分に所定信号が付加されたシャッター音を集音する集音手段と、集音された音の解析を行う音解析手段と、集音されたシャッター音の先頭部分に含まれる所定信号が、予め定められた所定信号と一致するか否かを確認し、集音されたシャッター音の先頭部分に含まれる所定信号が、予め定められた所定信号と一致しない場合には撮影手段による撮影を無効化する制御手段とを備えるようにしたことを特徴とする。
【００１０】
上述の構成によれば、撮影する際にシャッター音の発生を必須の条件として、シャッター動作時に集音された音が、予め定められた原音と一致しない場合にはシャッター音が故意に消音又は弱音化されたと判断され、その撮影が無効化される。これによって、撮影装置の盗撮等への悪用が防止される。
【００１１】
またその際に、シャッター音に所定の信号、例えば正弦波信号を含ませ、集音したシャッター音に含まれた正弦波信号のみを解析して、集音した正弦波信号と原音とが一致しているかどうかを確認することにより、シャッター音自体を解析する場合と比して解析対象のデータ量を大幅に減少させることができる。
【発明の効果】
【００１２】
本発明によれば、撮影する際にシャッター音の発生を必須の条件とすることにより、消音撮影、及びシャッター音が認識できないほど騒音が大きな環境での撮影を防止できるとともに、撮影が実行されたときにはその被撮影者にその事実を確実に知らせることができる。その結果、盗撮のような撮影装置の悪用防止を図ることができるという効果がある。
【００１３】
また、シャッター音に正弦波信号等の所定の信号を含ませ、集音したシャッター音に含まれる所定信号の解析を行うことで、シャッター音自体を解析する場合と比して解析対象のデータ量を大幅に減少させることができるので、計算時間を大幅に短縮することができるという効果がある。したがって、利用者がシャッターボタンを押して被写体の撮像データを保存確定するまでの時間が大幅に短縮されるため、利用者の待ち時間が減少するとともに、例えば撮りたい場面を逃さず連続撮影できるなど、撮影手法の多様化が実現される。
【発明を実施するための最良の形態】
【００１４】
以下、本発明の一実施の形態の例について、添付図面を参照して説明する。本例では、電子機器にデジタルカメラ機能を搭載した例として、カメラ付き携帯電話端末について説明する。
【００１５】
図１は、本発明の一実施の形態によるカメラ付き携帯電話端末の内部の機能ブロック図である。
【００１６】
図１において、１００はカメラ付きの携帯電話端末本体である。１０１は携帯電話端末に内蔵されたカメラのシャッターを開くためのボタンであり、携帯電話端末がカメラモードの状態では、シャッターボタン１０１を押下することで撮影可能である。１０２は制御手段として機能し、内部メモリ１０３中のＲＯＭ（Read Only Memory）に記憶されたプログラムに基いて、携帯電話端末１００を制御する中央演算処理装置である。１０３は携帯電話端末に内蔵されたメモリであり、画像データなど種々のデータを記憶する、読み出し及び書き込み可能なＲＡＭ（Random Access Memory）と、中央演算処理装置１０２を動作させるためのプログラムコードや、Ａ／Ｄ変換器１０６，１１２とＤ／Ａ変換器１０７及び信号処理装置１１３を動作させるためのプログラムコード等、各種プログラムや、端末のＩＤなどのデータを記憶する、読み出し可能なＲＯＭで構成されている。
【００１７】
また、１０４は被写体の画像情報を撮像素子１０５へ伝達するカメラである。１０５は被写体の光学像を電気信号に変換し、撮影手段としての機能を持つ撮像素子である。１０６と１１２はアナログ信号をデジタル信号に変換するＡ／Ｄ変換器である。１０７はデジタル信号をアナログ信号に変換するＤ／Ａ変換器である。１０８と１１１はアナログ信号を増幅する増幅器である。１０９は電気信号を音声に変換し、撮影時のシャッター音などを発生する手段として機能するスピーカである。１１０は音声を電気信号に変換する集音手段として機能するマイクロフォン（マイク）である。１１３はデジタル信号値の演算を行い、音解析手段などとして機能する信号処理装置である。１１４はアンテナ１１５を介して基地局（図示せず）との間で音声およびデータの送受信を行う通信装置である。１１６はテンキーやカーソル指示キー、電話キー、終話キーなどの各種入力キーを含む操作部である。１１７は液晶ディスプレイ等の表示画面を有する表示部である。
【００１８】
図１において、撮像素子１０５は、中央演算処理装置１０２の制御下でシャッターボタン１０１の押下をトリガとして、レンズ１０４を通して得られる被写体を撮像する。撮像素子１０５の出力はＡ／Ｄ変換器１０６によりデジタルデータに変換されて信号処理装置１１３で信号処理され、撮像データとして内部メモリ１０３に格納される。信号処理装置１１３には通信装置１１４が接続され、この通信装置１１４で受信した音声や携帯電話端末内で発生した音の信号は信号処理装置１１３からＤ／Ａ変換器１０７及び増幅器１０８を介してスピーカ１０９から放音される。ユーザの声や周囲の音はマイク１１０で集音され、電気信号に変換され、さらに増幅器１１１及びＡ／Ｄ変換器１１２を介してデジタル信号として信号処理装置１１３に入力され、通信装置１１４により外部に出力されたり、内部メモリ１０３に録音されたりする。
【００１９】
中央演算処理装置１０２にはさらに、操作部１１６と、表示部１１７とが接続されている。シャッターボタン１０１は操作部１１６を構成する特定のキーが兼ねてもよい。
【００２０】
本実施の形態では、内部メモリ１０３に、シャッターボタン１０１が押下されたことを特定するための少なくとも１種類の所定信号波をシャッター音の先頭に含ませたシャッター音データが保存されており、シャッターボタン１０１の押下による撮影時にこのシャッター音データに応じた音をスピーカ１０９から発生する。なお、この例では上記所定信号波として正弦波信号を付加するようにしているが、単純な信号が好ましく、例えば所定周波数のパルス信号などでもよい。
【００２１】
信号処理装置１１３は、マイク１１０で集音された、シャッター音の先頭に付加された正弦波信号のデジタルデータに基づいて当該集音された正弦波信号の周波数解析等を行い、集音された正弦波信号の特徴が上記内部メモリ１０３に予め記憶された正弦波信号（原音）の特徴と一致するかどうかをパターンマッチング等の手法によりチェックする機能を有する。そのためには例えばフーリエ変換やウェーブレット変換等を利用し、正弦波信号の周波数スペクトルを検査してその特徴を抽出する。
【００２２】
ここで、先頭部分に正弦波信号を含んだシャッター音データについて説明する。
図２は、マイク１１０及び増幅器１１１を経由した後のシャッター音の波形の例を示した図である。横軸ｔは時間（msec）を表し、シャッターボタン１０１が押下された瞬間をｔ＝０としている。縦軸Ｖは電圧値（V）を表す。この例では、例えば周波数２．５kHz、振幅５Vの正弦波を約５０msec挿入しているが、この例に限るものではない。このように先頭部分に正弦波信号を含んだシャッター音は、例えば「ピ、カシャッ」といったような音を発する。
【００２３】
一般に、シャッターボタンが押下されて（ｔ＝０）からシャッター音が立ち上がるまでにおよそ数１０msec〜１００msec程度の間隔が存在し、「カシャッ」というシャッター音の長さは約４００msec程度である。スピーカ１０９から空間を媒介してマイク１１０に入ってくるシャッター音のタイミングは毎回同じではないため、その特徴を捉えるためには所定時間、例えば５０msec以上のサンプリングが必要であり、解析を完了し保存確定するまでに数秒を要する。これに対し、本例ではシャッター音そのものを解析するのではなく、通常のシャッター音の前に既値の単純な正弦波信号を含ませこの正弦波を解析対象とすることで、数msecのサンプリングで所望のスペクトラムパターンを得ることができる。そのため、解析すべきデータが数分の１に削減され、解析を完了し保存確定するまでの時間を大幅に短縮することができる。
【００２４】
図１のカメラ付き携帯電話端末の撮影処理について、図３のフローチャートを参照して説明する。撮影処理は、カメラ付き携帯電話端末１００がカメラモードになったときに割り込み処理として実行され、中央演算処理装置１０２により制御される。
【００２５】
まずシャッターボタン１０１が押下されたかどうか、すなわち利用者からの撮影指示信号の入力の有無を監視する（ステップＳ１）。シャッターボタン１０１が押下された場合、内部メモリ１０３に用意してある、先頭に正弦波を含むシャッター音データを中央演算処理装置１０２で取り出し、信号処理装置１１３によりデジタルデータに変換する。さらに、Ｄ／Ａ変換器１０７によりアナログデータに変換し、増幅器１０８を介してスピーカ１０９より出力する（ステップＳ２）。これと同時に、レンズ１０４からの光学像を撮像素子１０５により電気信号に変換し、さらに、Ａ／Ｄ変換器１０６によりデジタルデータとする。そのデータを信号処理装置１１３で演算（圧縮）し、中央処理演算処理装置１０２を用いて内部メモリ１０３に一時保存する。
【００２６】
上記ステップＳ２で発生（鳴動）したシャッター音の先頭部分の正弦波信号を、空間を媒介しマイク１１０にて集音し、増幅器１１１を通してＡ／Ｄ変換器１１２によりデジタルデータに変換して信号処理装置１１３に入力する（ステップＳ３）。信号処理装置１１３では集音された正弦波信号の周波数解析を行い、スペクトラムパターンを算出する（ステップＳ４）。そして、内部メモリ１０３に記憶された原音と集音された正弦波信号のスペクトラムパターン整合を比較し、パターンが一致するか否かを判定する（ステップＳ５）。一致しなかった場合には、内部メモリ１０３に一時保存された撮像データを無効として破棄し、撮影処理を終了する（ステップＳ６）。
【００２７】
一方、判断ステップＳ５において原音と集音された正弦波信号のスペクトラムパターンが一致した場合、内部メモリ１０３に一時保存されている撮像データをフラッシュメモリ等の不揮発性の記録領域（図示略）に確定的に保存し（保存確定）（ステップＳ７）、撮影処理を終了する。ここで「一時保存」とは一時的にデータを記憶する動作をいい、このデータは撮像直後の破棄の対象となる。一時保存は、データを破棄せずに保存を確定する「保存確定」と区別される。
【００２８】
図３の処理により、シャッターボタン１０１の押下により、一旦被写体データが取り込まれ、内部メモリ１０３に一時保存されても、集音されたシャッター音の先頭に挿入されている正弦波信号とその原音とが一致しなければ、即座に撮影が無効化されて撮像したデータが破棄されるので、利用者はその撮像データを見ることも保存確定することもできない。すなわち、先頭部分に正弦波信号が付加されたシャッター音の発生が確認されたときのみ、撮像データを見ることができ、また、保存確定することができる。これによって、何らかの手段によりシャッター音を消音又は弱音化させて盗撮的な動作を行おうとする企てが抑止される。
【００２９】
上述した構成によれば、スピーカからマイクへの空間を媒介したシャッター音の受け渡しを必須の撮影条件としたので、消音撮影、及びシャッター音が認識できないほど騒音が大きな環境での撮影を防止できる。悪意を持った撮影者が故意に消音又は弱音化撮影を行っても所期の目的を達成できないように撮影を無効化することができる。
【００３０】
また、撮影する際にはシャッター音の発生を必須の条件とすることにより、撮影が実行されたときにはその被撮影者にその事実を確実に知らせることができる。その結果、盗撮のような撮影装置の悪用防止を図ることができる。
【００３１】
また、シャッター音に正弦波信号を含ませ、集音したシャッター音に含まれる正弦波信号の解析を行うことで、シャッター音自体を解析する場合と比して解析対象のデータ量を大幅に減少させることができるため、計算時間を大幅に短縮することができる。したがって、シャッターボタンを押して被写体の撮像データを保存確定するまでの時間が大幅に短縮されるため、利用者の待ち時間が減少するとともに、例えば撮りたい場面を逃さず連続撮影できるなど、撮影手法の多様化が実現される。
【００３２】
なお、他の実施の形態の例として、カメラ付き携帯電話端末１００にプレビュー表示機能が装備されている場合、ステップＳ７の処理において利用者の指示に従い撮像データの保存確定を行うようにしてもよい。すなわち、上述ステップＳ２の処理と同時に内部メモリ１０３に一時保存した撮像データを、表示部１１７にプレビュー表示する。利用者はこのプレビュー表示による撮影画像を確認して、保存するか否かを操作部１１６から指示する。利用者からの指示が「保存する」であった場合、一時保存されている撮像データを保存確定し、撮影処理を終了する。
【００３３】
このような構成とした場合、一時保存された撮像データに関し、最終的に利用者がその撮像データを保存確定するか否かを決定することができるので、不揮発性の記録領域を効率よく使用することができる。その他、図３の説明で述べたのと同様の作用効果を奏する。
【００３４】
また、さらに他の実施の形態の例として、図３の撮影処理ではシャッター音発生関連の処理と被写体データ取得関連の処理とを並行して実行するようにしたが、特にシャッター音発生関連の処理を先行して実行するようにしてもよい。以下、本例の撮影処理について説明する。
【００３５】
まず、シャッターボタン押下を検出すると、上述と同様にシャッター音を鳴動させる。ついでシャッター音を含む周囲の音を集音し、そのシャッター音の先頭に含まれる正弦波信号を解析する。集音された正弦波信号と原音との一致が確認されなければ、当該撮像データを破棄し、この撮影処理を終了する。一方、集音された正弦波信号と原音との一致が確認された場合には、被写体データを取り込み、内部メモリに一時保存する。次いで、プレビュー機能が装備されていればプレビュー表示を行う。ユーザの指示が「保存する」の場合には、撮像データをフラッシュメモリ等の不揮発性の記録領域に保存確定して、この撮影処理を終了する。プレビュー表示機能がない場合はそのまま保存確定する。
【００３６】
本例の撮影処理によれば、収音されたシャッター音の先頭に付加された正弦波信号と原音との一致が確認されない場合には、被写体データの取り込み自体を行わないので、無駄な取り込み処理及びそのための消費電力を削減することができる。集音された正弦波信号と原音との一致を確認した後、被写体データの取り込みを行うので、シャッターボタン押下から被写体データ取り込みまでの遅延が生じるが、正弦波信号のみを解析することにより、シャッター音自体を解析する場合と比して、遅延を大幅に抑えることができる。その他、図３の説明で述べたのと同様の作用効果を奏する。
【００３７】
以上、本発明の好適な実施の形態の例について説明したが、上記で言及した以外にも種々の変形、変更が可能である。例えば、撮影の無効化は、被写体データの取り込みの抑止、確定保存の抑止のほか、撮像素子のデータをＡ／Ｄ変換の抑止であってもよい。要するに、撮影の無効化のためには、撮影者がシャッターボタンを押してから撮像データを取り込むまでの複数のプロセスの中の１つの実行条件を阻害すればよい。撮影が無効化された場合に、その撮影された被写体の像が撮影者に見えないようにする。
【００３８】
本発明における「撮影」には静止画の撮影のみならずムービー撮影のような動画の撮影も含み、後者の場合にも本発明を適用可能である。例えば、少なくとも撮影開始時又は撮影終了時に出力される音等に対して本発明を適用することができる。
【００３９】
また、シャッター音は「カシャッ」のような音以外でも、撮影を告知する音であればその他でもよい。
【００４０】
また、カメラ付きの携帯電話端末について説明したが、本発明はこれに限るものではなく、例えば通信機能を有さないデジタルカメラまたはカメラ付き電子機器にも適用可能である。
【００４１】
また、内部メモリのほかに、着脱可能な外部メモリを備えてもよい。後述する保存確定先としてこのような外部メモリを用いてもよい。
【図面の簡単な説明】
【００４２】
【図１】本発明の一実施の形態によるカメラ付き携帯電話端末の構成を示すブロック図である。
【図２】本発明の一実施の形態による先頭に正弦波信号を含むシャッター音の波形例を示す図である。
【図３】本発明の一実施の形態による撮影処理を示すフローチャートである。
【符号の説明】
【００４３】
１００…カメラ付き携帯電話端末、１０１…シャッターボタン、１０２…中央演算処理装置、１０３…内部メモリ、１０４…レンズ、１０５…撮像素子、１０６，１１２…Ａ／Ｄ変換器、１０７…Ｄ／Ａ変換器、１０８，１１１…増幅器、１０９…スピーカ、１１０…マイク、１１３…信号処理装置、１１４…通信装置、１１５…アンテナ、１１６…操作部、１１７…表示部
【図１】
2006135906.tif 000003
【図２】
2006135906.tif 000004
【図３】
2006135906.tif 000005